(57)【要約】【課題】簡易・安価に通知を受ける監視する側の自由度を向上すること。【解決手段】パルスオキシメーター１０は、処理装置２０からの指示を受けて測定を行い、処理装置２０は、測定結果より酸素飽和度（ＳｐＯ２）の値が閾値以下となった場合、何らかの異常が発生したと判断し、通信装置３０に対し通報指示を行い、通信装置３０は、外部への通報を行う。【選択図】図１
2008188104.tif 000002
【特許請求の範囲】
【請求項１】
パルスオキシメーターは、処理装置からの指示を受けて測定を行い、
前記処理装置は、測定結果より酸素飽和度（ＳｐＯ２）の値が閾値以下となった場合、何らかの異常が発生したと判断し、通信装置に対し通報指示を行い、
通信装置は、外部への通報を行うことを特徴とするパルスオキシメーターを使用した遠隔ケアシステム。
【請求項２】
パルスオキシメーターは、測定を行い、測定結果より酸素飽和度（ＳｐＯ２）の値が閾値以下となった場合、何らかの異常が発生したと判断し、通信装置に対し通報指示を行い、
通信装置は、外部への通報を行うことを特徴とするパルスオキシメーターを使用した遠隔ケアシステム。
【請求項３】
パルスオキシメーターは、測定を行い、測定結果より酸素飽和度（ＳｐＯ２）の値が閾値以下となった場合、何らかの異常が発生したと判断し、通信手段により、外部への通報を行うことを特徴とするパルスオキシメーターを使用した遠隔ケアシステム。
【請求項４】
測定を行うステップと、
測定結果より酸素飽和度（ＳｐＯ２）の値が閾値以下となった場合、何らかの異常が発生したと判断するステップと、
外部への通報を行うステップと、
を有することを特徴とするパルスオキシメーターを使用した遠隔ケア方法。
【請求項５】
コンピュータシステムに請求項１記載の機能を実現させることを特徴とするプログラム。
【請求項６】
コンピュータシステムに請求項２記載の機能を実現させることを特徴とするプログラム。
【請求項７】
コンピュータシステムに請求項３記載の機能を実現させることを特徴とするプログラム。
【発明の詳細な説明】
【技術分野】
【０００１】
本発明は、血液の色から、心拍毎に指先やその他の末梢組織に送り込まれる酸素飽和度（ＳｐＯ２）を測定し監視を遠隔で行う技術に関する。
【背景技術】
【０００２】
パルスオキシメーターは、医療現場では以前から（１９７０年代〜）一般的によく使われてが、近年になり一般家庭で在宅医療として使われるようになってきた。
【０００３】
その要因として、パルスオキシメーターが安価になり、一般家庭でも購入が可能となってきたこと、技術的に軽量小型化されてきたこと等があげられる。
【０００４】
パルスオキシメーターの特徴としては、指をクリップで挟むことだけで、測定が可能であり、動脈血酸素分圧（Ｐａｏ２）等と比べると測定コストが格段に安価である。
【０００５】
ここで、従来の遠隔ケアシステムでは、一般ユーザに提供される普及型の場合、モーションセンサー（上に乗っているのもの動きを監視）により、ある一定時間（例えば２０秒）動作が検知されない場合、何らかの問題が発生したと判断し通知を行っている。
【０００６】
この場合、実際には問題は発生していないにも関わらず、ある一定時間単に動作がなった場合には誤検知となる。また、逆に発作・痙攣等により動作はあるものの、問題が発生している場合については、検知できないことになる。
【０００７】
また、複数のセンサー等を駆使したシステムについては、精度は上がるものの、一般ユーザには高価過ぎるのが問題である。
【０００８】
ここで、オキシメータが被検者の血中酸素濃度情報を測定し、室内無線中継装置に被検者の識別符号ＩＤを付加して無線送信し、室内無線中継装置でリレー送信されてきた血中酸素濃度情報及び被検者識別符号を施設内監視装置が無線受信し、施設内監視装置は、受信した血中酸素濃度情報が閾値を越えている場合に、周囲に警報を発し、かつ、通信を通じてオキシメータによる被検者の監視側に通信を通じて通報することで、生体の血中酸素濃度遠隔監視通信システムにおいて、被検者に対する血中酸素濃度の測定の自由度、及び血中酸素濃度を測定する被検者での行動の自由度を得ることができる技術が提案されている（例えば、特許文献１参照）。
【特許文献１】特開２００３−２２００５２号公報
【発明の開示】
【発明が解決しようとする課題】
【０００９】
しかしながら、従来の技術では、一般的なシステム構成として、子ユニットと親ユニットに別れ、子ユニットで検知した情報を親ユニットに送信する形となっており、通報範囲が限定されている。また、施設内で監視等するのではなく、外、場合によっては外出先でも通知を受けることは困難であった。
【００１０】
本発明は、以上説明した問題点を解決するためになされたものである。その目的は、簡易・安価に通知を受ける監視する側の自由度を向上することである。
【課題を解決するための手段】
【００１１】
本発明は、パルスオキシメーターは、処理装置からの指示を受けて測定を行い、
前記処理装置は、測定結果より酸素飽和度（ＳｐＯ２）の値が閾値以下となった場合、何らかの異常が発生したと判断し、通信装置に対し通報指示を行い、
通信装置は、外部への通報を行うパルスオキシメーターを使用した遠隔ケアシステム。を提供する。
【００１２】
また、本発明は、パルスオキシメーターは、測定を行い、測定結果より酸素飽和度（ＳｐＯ２）の値が閾値以下となった場合、何らかの異常が発生したと判断し、通信装置に対し通報指示を行い、
通信装置は、外部への通報を行うパルスオキシメーターを使用した遠隔ケアシステムを提供する。
【００１３】
また、本発明は、パルスオキシメーターは、測定を行い、測定結果より酸素飽和度（ＳｐＯ２）の値が閾値以下となった場合、何らかの異常が発生したと判断し、通信手段により、外部への通報を行うパルスオキシメーターを使用した遠隔ケアシステムを提供する。
【００１４】
また、本発明は、測定を行うステップと、
測定結果より酸素飽和度（ＳｐＯ２）の値が閾値以下となった場合、何らかの異常が発生したと判断するステップと、
外部への通報を行うステップと
を有するパルスオキシメーターを使用した遠隔ケア方法を提供する。
【発明の効果】
【００１５】
本発明によれば、簡易・安価に通知を受ける監視する側の自由度を向上することができる。
【発明を実施するための最良の形態】
【００１６】
以下、本発明の第１の実施の形態について図面を参照して詳細に説明する。
【００１７】
図１を参照すると、本実施の形態におけるパルスオキシメーターを使用した遠隔ケアシステムは、プログラム制御により動作するパルスオキシメーター１０と、処理装置２０と、通信装置３０から構成されている。
【００１８】
処理装置２０は、パルスオキシメーター測定結果収集手段２１と、パルスオキシメーター測定結果判断手段２２、通報手段２３とを含む。
【００１９】
これらの手段はそれぞれ概略つぎのように動作する。
パルスオキシメーター１０は、処理装置２０からの指示を受け、測定を行う。
【００２０】
パルスオキシメーター測定結果収集手段２１は、パルスオキシメーターによる測定を一定間隔で実施するように指示し、その結果を随時収集する。
【００２１】
パルスオキシメーター測定結果判断手段２２は、測定結果より酸素飽和度（ＳｐＯ２）の値が閾値（例えば９０％）以下となった場合、何らかの異常が発生したと判断する。
【００２２】
通報手段手段２３は、パルスオキシメーター測定結果判断２２により異常が発生したと判断された場合、通信装置に対し通報指示を行う。
【００２３】
通信装置３０は、処理装置２０からの通報指示により、電話あるいはメール等により外部への通報を行う。
【００２４】
なお、通信装置３０は、外部に通知が可能な手段であれば限定はされない。例えば、携帯電話機、固定電話回線、インターネット等であってもよい。
【００２５】
次に、図１及び図２のフローチャートを参照して本実施の形態の動作について詳細に説明する。
【００２６】
まず、図２を参照すると、パルスオキシメーター測定指示（ステップＡ１）が処理装置２０から、パルスオキシメーターに送られる。
【００２７】
次に、パルスオキシメーター測定実施（ステップＡ２）がなされ、測定が行われる。
【００２８】
次に、パルスオキシメーター測定結果通知（ステップＡ３）が行われ、測定結果がパルスオキシメーター１０から処理装置２０に送られる。
【００２９】
次に、パルスオキシメーター測定結果受信（ステップＡ４）が行われ、処理装置２０は、パルスオキシメーター１０から測定結果を受信する。
【００３０】
次に、測定結果判定（ステップＡ５）が行われ、処理装置２０は、測定結果が「正常値」であるか、「異常値」であるか判定を行う。詳細は以下で説明する。
【００３１】
「正常値」であった場合、一定間隔を置いて、パルスオキシメーター測定指示（ステップＡ１）を実施する。一方、「異常値」であった場合、ダイヤル通報あるいは、メール通報（ステップＡ６）が行われ、通信装置３０に通報の支持が行われる。
【００３２】
最後に、通報実施（ステップＡ７）が行われ、外部に通報が行われる。
【００３３】
次に、図３を参照して処理装置２０の測定／通知ロジックを詳細に説明する。
まず、パルスオキシメーター１０に測定指示を出し（ステップＢ１）、パルスオキシメーター１０で実施された測定の結果を受信する（ステップＢ２）。
【００３４】
次に、測定結果がＹ（％）以上かつ１００（％）以下であるかを判定する（ステップＢ３）。なお、測定不能時や１００（％）以上も不正であると判定する。
【００３５】
判定結果に応じて以上通知を行うか（ステップＢ４）、正常通知をするかの判定（ステップＢ５）へ移行する。
【００３６】
前回通知からの時間がＺ（分）を経過していれば正常通知を行う（ステップＢ６）。
【００３７】
そして、次回測定指示を出すまでＸ（分）待機する（ステップＢ７）。
【００３８】
上記の本実施の形態によれば、パルスオキシメーターおよび外部とのインターフェースを持った通信装置というように構成されているため、生命維持に最も必要な機能に問題が発生したことを検知し外部に通報ができる。
【００３９】
また、目に見えた自覚症状がない場合でも異常が検知できる。その理由は、パルスオキシメーターを使用することにより、体内の酸素量を測定する為である。
【００４０】
また、付き添い者等が外出できる。乳幼児や寝たきり老人を見ている者が、数分でも外出することは心配であるが、外出ができないのも困る場合が多く、その為外出先に通報ができる効果は大きい。
【００４１】
次に、本発明の他の実施の形態の構成について説明する。処理装置２０をチップ等実現し、パルスオキシメーター１０に組み込むことも可能である。
【００４２】
また、処理装置２０、通信装置３０共にチップ等で実現し、パルスオキシメーター１０に組み込むことも可能である。
【００４３】
なお、上述する実施の形態は、本発明の好適な実施の形態であり、本発明の要旨を逸脱しない範囲内において種々変更実施が可能である。例えば、パルスオキシメーター１０、処理装置２０および通信装置３０の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４４】
本発明は、一般家庭への普及を目的としているが、老人ホーム、医療施設、介護ヘルパー等の分野での使用にも適用できる。また、健康な方が健康管理用として使用することも可能であり、現在は健康ではあるが一人暮らし等の場合にも適用できる。
【図面の簡単な説明】
【００４５】
【図１】本発明の実施の形態のシステム構成を示す構成図である。
【図２】本発明の実施の形態の処理動作を示すフローチャートである。
【図３】本発明の実施の形態の処理動作を示すフローチャートである。
【符号の説明】
【００４６】
１０    パルスオキシメーター
２０    処理装置
３０    通信装置
【図１】
2008188104.tif 000003
【図２】
2008188104.tif 000004
【図３】
2008188104.tif 000005